(57)【特許請求の範囲】
【請求項１】
絶縁基板上に所定間隔を置いて第1、第2の導電パターンを配置するとともに、第1、第2の導電パターンの放電部の間に第3の導電パターンを配置し、前記第1の導電パターンの放電部と第3の導電パターンとの放電部間に第1のギャップを形成し、前記第2の導電パターンの放電部と第3の導電パターンの放電部との間に第2のギャップを形成し、前記第１と第２のギャップの合成ギャップ幅が絶縁規格を満足するようにし、また前記第1のギャップと前記第2のギャップは直線上に配置した放電ギャップ部と、
前記第１と第2のギャップの位置から離れ且つ第2のギャップのギャップ幅よりも大きい間隔を置いて、前記第2の導電パターンおよび第3の導電パターンにそれぞれ設けられた接続用端子部と、
前記接続用端子部の間に結合されたコンデンサと
を具備したことを特徴とする放電ギャップ装置。
【請求項２】
前記第1の導電パターンは一次側回路を構成する商用交流電源に接続され、前記第2の導電パターンは二次側回路の接続点に接続されるようにしたことを特徴とする請求項1記載の放電ギャップ装置。
【請求項３】
前記第１の放電部は一次側端子に形成され、この一次側端子は一次側回路を構成する商用交流電源に接続され、前記第２の放電部は二次側端子に形成され、この二次側端子は二次側回路の接続点に接続されるようにしたことを特徴とする請求項１記載の放電ギャップ装置。
【請求項４】
前記互いに対向する放電部を、複数の尖端部を有する形状にしたことを特徴とする請求項１記載の放電ギャップ装置。
【請求項５】
前記第1、第2のギャップの少なくとも一方の下部にスリット穴を形成したことを特徴とする請求項１記載の放電ギャップ装置。
【請求項６】
前記第1のギャツプ間隔をW1、前記第2のギャップ間隔をW２としたとき、W1＝３．０ｍｍ〜４．５ｍｍ（好ましくは３．５ｍｍ）、W2=２．０ｍｍ〜４．５ｍｍ（好ましくは３．０ｍｍ）とし、W1+W2＝６．０〜８．０ｍｍとしたことを特徴とする請求項１記載の放電ギャップ装置。
【請求項７】
前記第1のギャツプ間隔をW1、前記第2のギャップ間隔をW２としたとき、
W1＝１．０ｍｍ〜２．８ｍｍ（好ましくは２．０ｍｍ）、W2＝１．０ｍｍ〜２．１ｍｍ（好ましくは１．５ｍｍ）、W１＋W2=２ｍｍ以上としたことを特徴とする請求項１記載の放電ギャップ装置。
【請求項８】
前記第1のギャツプ間隔をW1、前記第2のギャップ間隔をW２としたとき、W1＝１．０ｍｍ〜３．５ｍｍ（好ましくは２．０ｍｍ）、W2＝１．０ｍｍから２．０ｍｍ（好ましくは１．５ｍｍ）、W1+W2=３．２ｍｍ〜４．０ｍｍとしたことを特徴とする請求項１記載の放電ギャップ装置。
【請求項９】
前記第1のギャツプ間隔をW1、前記第2のギャップ間隔をW２としたとき、W1＝１．０ｍｍ〜３．３ｍｍ（好ましくは２．０ｍｍ）、W2＝１．０ｍｍ〜２．０ｍｍ（好ましくは１．５ｍｍ）、W1+W2=３．０ｍｍ〜４．０ｍｍとしたことを特徴とする請求項１記載の放電ギャップ装置。
【請求項１０】
前記一次側端子はそれぞれ第１、第２の放電部を有する一対の端子にて構成し、
前記二次側端子には、それぞれ第１、第２の放電部に対向して、前記第３、第４の放電部が形成され、また第３の放電部にも、前記第１、第２の放電部に対向する第５、第６の放電部、及び前記第３、第４の放電部に対向する第７、第８の放電部を形成したことを特徴とする請求項３記載の放電ギャップ装置。
【請求項１１】
前記一対の端子間の間隔を３ｍｍ以上に設定したことを特徴とする請求項１０記載の放電ギャップ装置。
【請求項１２】
印刷配線基板上に構成された放電ギャップ装置であって、
複数の尖端パターンにてなる第1の放電部（１ａ）を有する第1の一次側パターン（１１ａ）と、
複数の尖端パターンにてなる第2の放電部（１ｂ）を有し、前記第1の一次側パターン（１１ａ）に対して所定間隔を置いて配置された第2の一次側パターン（１１ｂ）と、
前記第1、第2の一次側パターン（１１ａ，１１ｂ）から離れた位置に配置され、前記第1、第2の放電部に対向した一対の第3の放電部（２ａ，２ｂ）を有する二次側パターン（２２）と、
前記一次側パターン（１１ａ，１１ｂ）と前記二次側パターン（２２）との間に配置され、前記第1、第2の放電部（１ａ，１ｂ）にそれぞれ対向して一対の第4の放電部（３１ａ，３１ｂ）を有すると共に、前記第3の放電部（２ａ，２ｂ）にそれぞれ対向して一対の第5の放電部（３２ａ，３２ｂ）を有し、前記第1、第2の放電部と前記第4の放電部との間に第1のギャップを形成し、前記第3の放電部と前記第５の放電部との間に第2のギャップを形成した浮点パターン（３３）と、
前記第１及び第2のギャップから離れた位置で且つ前記第2のギャップの間隔よりも大きい間隔を置いて前記二次側パターン（２２）及び前記浮点パターン（３３）にそれぞれ延長して設けられた接続用端子（２４，３４）と、
前記接続用端子（２４、３４）間に接続された放電誘発用のコンデンサ（４４）とを具備し、
前記第1のギャップと前記第2のギャップの合計ギャップ幅は、絶縁規格を満足する間隔に設定し、前記第1、第2のギャップの少なくとも一方が位置する基板にスリット穴（５５）を形成し、前記各放電部に半田を付けたことを特徴とする放電ギャップ装置。
【発明の詳細な説明】
【０００１】
【発明の属する技術分野】
この発明は、テレビジョン受信機、ビデオテープレコーダ、さらには通信機器などの電子機器に使用される印刷配線基板において、特に商用交流電源からの電力が導入される電源入力部に採用されて好適する放電ギャップ装置に関する。
【０００２】
【従来の技術】
従来電子機器の印刷配線基板において、電源入力部には、雷撃保護回路が設けられている。これは外部アンテナに誘導された雷電圧を放電させ、その結果生じた雷電流を外部商用電源側へ放流するためである。この種の基本技術は、特開平２０００−６９６６６号公報に開示されている。
【０００３】
電撃保護回路は、放電ギャップ回路を有し、落雷時に放電ギャップに放電が生じる。ここで放電ギャップ回路に着目した場合、落雷時の放電をスムーズに行なわせるためには、放電ギャップの間隔を小さくし、雷サージ放電開始電圧を下げるほうが好ましい。しかしながら、一方では、各国により、安全規格が定められている。即ち、１次側と２次側の部品（導電体）間の空間距離が規定されている。この安全規格があるために不用意にギャップ間隔を小さくすることができない。つまり、安全規格上の１次側と２次側の導体間の距離と、雷サージ放電開始電圧を低くするために放電ギャップの間隔を小さくすることは相反することになる。
【０００４】
【発明が解決しようとする課題】
そこでこの発明は、１次側と２次側の端子間の間隔を小さくすることなく、雷サージ放電開始電圧を下げることができる放電ギャップ装置を提供することを目的とするものである。
【０００５】
【課題を解決するための手段】
この発明は、絶縁基板上に所定間隔を置いて第1、第2の導電パターンを配置するとともに、第1、第2の導電パターンの放電部の間に第3の導電パターンを配置し、前記第1の導電パターンの放電部と第3の導電パターンとの放電部間に第1のギャップを形成し、前記第2の導電パターンの放電部と第3の導電パターンの放電部との間に第2のギャップを形成し、前記第１と第２のギャップの合成ギャップ幅が絶縁規格を満足するようにし、また前記第1のギャップと前記第2のギャップは直線上に配置した放電ギャップ部と、前記第第１と2のギャップの位置から離れ且つ第2のギャップのギャップ幅よりも大きい間隔を置いて、前記第2の導電パターンおよび第3の導電パターンにそれぞれ設けられた接続用端子部と、前記接続用端子部の間に結合されたコンデンサとを有する。
【０００７】
上記の手段により、１次側端子と、２次側端子間の間隔は、安全規格を満足ししている。この環境下であっても、コンデンサが放電の誘発を行なう機能を奏することになり、放電開始電圧を下げることができ、スムーズな放電を得ることができる。
【０００８】
【発明の実施形態】
以下、本発明の実施の形態を図面を参照しながら説明する。
【０００９】
図１はこの発明の放電ギャップ装置の基本構成を示している。即ち、１００は印刷配線基板である。この印刷配線基板１００上には、１次側端子１１と２次側端子２２とがパターン印刷されている。１次側端子１１は、放電のための１次側放電部１を有する。２次側端子２２も、放電のための２次側放電部２を有する。
【００１０】
さらに、１次側端子１１と２次側端子２２の間に、浮点端子３３がパターン印刷されている。この浮点端子３３は、１次側放電部１と２次側放電部２を結ぶ線上に第１の浮点側放電部３１、第２の浮点側放電部３２を一体に有する。
【００１１】
さらに、１次側放電部１と２次側放電部２を結ぶ線上から離れた位置には、浮点端子３３と２次側端子２２との間を接続するコンデンサ４４が設けられる、このコンデンサ４４の接続位置は、２次側端子２２と浮点端子３３との最短距離よりも大きな距離Ｌ３（例えば７．５ｍｍ）を有する部分間である。このために、浮点端子３３と２次側端子２２には、一部が延在した端子部分３４、２４が形成されている。
【００１２】
上記のように本発明では、１次側放電部１と浮点側放電部３１との間に第１の放電ギャップが形成され、浮点側放電部３２と２次側放電部２との間に第２の放電ギャップが形成された２段放電ギャップ構造となっている。そして、２次側端子２２と浮点端子３３間には、雷サージ放電開始電圧を下げるためのコンデンサ４４（絶縁耐圧規格を満足するコンデンサ）を接続している。
【００１３】
ここで、上記の回路構成が設計規格を満足していることについて説明する。１次側放電部１と第１の浮点側放電部３１間の第１の放電ギャップの間隔Ｌ１（例えば３．５ｍｍ）と、第２の浮点側放電部３２と２次側放電部２間の第２の放電ギャップの間隔Ｌ２（例えば３ｍｍ）との合計は、６ｍｍ以上である。これは１次側と２次側との導体間の空間間隔を規定している安全規格（ＩＥＣ規格、ＵＬ規格、ＣＳＡ規格、電取規格）を満足する値である。
【００１４】
即ち、通常使用時において、１次側端子１１と２次側端子２２との間の絶縁耐圧は、ＵＬ規格、ＣＳＡ規格、電取法では、１．０ｋＶ（ｒ．ｍ．Ｓ  実効値）→１ｋＶ×√２＝１．４１ｋＶ（０−ｐｅａｋ）以下では放電しないこと、即ち絶縁破壊しないことが要求されている。またＩＥＣ規格６５では、３．０ｋＶ（ｒ．ｍ．ｓ  実効値）→３ｋＶ×√２＝４．４ｋＶ（０−ｐｅａｋ）以下では放電しないことが要求されている。したがって、この要求を満足するように、上記の１次側と２次側の導体の空間間隔を設定する必要がある。
【００１５】
また、コンデンサ４４は、ギャップ間隔３ｍｍを形成した２次側端子２２と浮点端子３３間に接続されているが、このコンデンサ４４は、安全規格上定められたコンデンサが使用され、規格上の絶縁機能を満足する。つまり、先のコンデンサ４４としては、ラインバイパスコンデンサ（Ｙコンデンサと通称される）を採用し、各国の安全規格を満足するようにしている。このコンデンサは、ＩＥＣ規格では、ＩＥＣ３８４−１４第２版  クラスＩＩに挙げられている。またＵＬ規格、ＣＳＡ規格では、ＩＥＣ３４８−１４第２版  クラスＩ（クラスＩＩでもよい）に挙げられている。また電取規格では、電取基準（ＩＥＣ３４８−１４第２版クラスＩまたはクラスＩＩでもよい）に挙げられている。したがって、コンデンサ４４を設けても設計規格を満足する。
【００１６】
次に、雷サージが行なわれるときの、上記２段構成の放電ギャップの機能について説明する。
【００１７】
浮点端子３３と２次側端子２２との間にコンデンサ４４が接続されているために、初期時は、浮点端子３３と２次側端子２２とは同電位で絶縁されている。雷電圧が誘導されると、１次側端子１１の１側放電部１と浮点端子３３の第１の浮点側放電部３１との間で放電（ショート）が行なわれ、引き続いて浮点端子３３の第２の浮点側放電部３２と２次側端子２２の２次側放電部２との間で放電（ショート）が行なわれる。結果、１次側と２次側の放電が行なわれることになる。
【００１８】
ここで、本発明の回路ではコンデンサ４４を設けているために、落雷時の雷放電開始電圧を低くできる。この理由は、以下の理由による。今、コンデンサ４４のインピーダンスをＺｃとすると、
Ｚｃ＝（１／ωＣ）＝（１／２πｆ・Ｃ）＝（１／２πＣ）×（１／ｆ）
ｆは周波数、Ｃはコンデンサ４４の容量
となる。雷電圧は、高い周波数を持つために、落雷時には、コンデンサ４４は、ショート状態にあると見れる。すると１次側端子１１と、浮点端子３３との間にのみ雷電圧が印加された状態に等しい。ギャップ間隔が狭いほど放電開始電圧は低くなるので、上記の回路は、コンデンサがない場合に比べて放電開始電圧が低くなっていることである。
【００１９】
放電は、それまで絶縁状態であったものが、絶縁破壊してショート状態になることである。このショート状態となる部分は、１次側放電部１と第１の浮点側放電部３１の間、第２の浮点側放電部３２と２次側放電部２との間であり、この部分に放電電流が流れ、コンデンサ４４には流れない。これは、コンデンサ４４の接続位置を選択したことによる。即ち、コンデンサ４４は、１次側放電部１と２次側放電部２を結ぶ線上の位置から離れた位置であって、２次側放電部２と第２の浮点側放電部３２間の最短距離Ｌ２よりも大きな距離Ｌ３を有する部分間を接続しているからである。
【００２０】
上記した本発明の作用効果をまとめると以下のようになる。
【００２１】
（１）１次側と２次側の空間間隔を狭めることなく、１次側と２次側間の雷サージ放電開始電圧を下げることができる（一般の一段放電ギャップと同一の空間距離でありながら雷サージ放電開始電圧を低くしている）。
【００２２】
（２）従来の放電ギャップ回路に対して、パターン設計（浮点端子）追加とコンデンサの１個の追加で実現できるので低コストである。
【００２３】
（３）使用コンデンサは、安全規格上で認められているコンデンサを使用するので特別な部品は使用しない。よって、本発明の放電ギャップ回路は安全規格取得が容易である。
【００２４】
（４）１次側と２次側間に部品接続をしないため、漏れ電流の増大はない、静電容量の増加がない、ノイズの伝搬がない、電源ラジエーション変化がない、極性がない。
【００２５】
（５）放電ギャップのみで放電が行なわれるので、他の部品としては雷サージ放電耐圧量の小さいものを使用できる。このことは、基板パターンの他の部分で、１次側部分と２次側部分の間隔を決める場合、安全規格の下限（小さい値）を選択することができ基板面積の削減が可能となる。
【００２６】
（６）コンデンサには雷サージ放電電流が流れないために、このコンデンサは、雷放電耐圧量が大きく、長寿命であり、耐久性に優れることになる。
【００２７】
（７）また、後述するが商用交流電源のＡ極、Ｂ極のための放電部を１次側に設けても、使用するコンデンサは１個でよい。
【００２８】
（８）ギャップ長（Ｌ１），（Ｌ２）を調整選定することで、各国の安全規格に対応可能である。
【００２９】
（９）あとで説明するが、１次側と２次側の放電ギャップの位置で、基板に孔を空けることで、放電時のカーボンがギャップ部に付着せず、次回の放電時の初期時と同等の放電開始電圧を安定して得ることができる。
【００３０】
図２はこの発明の他の実施の形態である。先の実施例の構成部品に対応する個所には、同一符号を付して説明する。１００は印刷配線基板であり、これから説明する端子がパターン印刷されている。
【００３１】
５１は商用交流電源に接続されるプラグであり、このプラグの一方のライン（Ａ極）は、Ａ極側の１次側端子１１ａに接続され、他方のライン（Ｂ極）は、Ｂ極側の１次側端子１１ｂに接続される。Ａ極側の１次側端子１１ａは、放電のための１次側放電部１ａを有する。これに対応して２次側端子２２も、放電のための２次側放電部２ａを有する。Ｂ極側の１次側端子１１ｂは、放電のための１次側放電部１ｂを有する。これに対応して２次側端子２２も、放電のための２次側放電部２ｂを有する。
【００３２】
１次側端子１１ａ，１１ｂは、独立して並列に設けられ、この１次側端子１１ａ，１１ｂと、２次側端子２２との間には、浮点端子３３がパターン印刷されている。この浮点端子３３は、１次側放電部１ａと２次側放電部２ａを結ぶ線上に第１の浮点側放電部３１ａ、第２の浮点側放電部３２ａを一体に有する。また浮点端子３３は、１次側放電部１ｂと２次側放電部２ｂを結ぶ線上に第１の浮点側放電部３１ｂ、第２の浮点側放電部３２ｂを一体に有する。
【００３３】
さらに、１次側放電部１ａ，１ｂと２次側放電部２ａ，２ｂ等が設けられた領域から離れた位置には、浮点端子３３と２次側端子２２との間を接続するコンデンサ４４が設けられる。このコンデンサ４４の接続位置は、２次側端子２２と浮点端子３３との最短距離よりも大きな距離Ｌ３（例えば７．５ｍｍ）を有する部分間である。このために、浮点端子３３と２次側端子２２には、一部が延在した端子部分３４、２４が形成されている。
【００３４】
また２次側端子２２において、コンデンサ４４を接続する部分２５１は、２次側端子２２の放電電流が流れ易いエッジ２５２に対して離間するように、２次側端子２２には切り込み部２５３が形成されている。この切り込み部２５３は、落雷時の放電電流がコンデンサ４４に流れないようにするために有効である。
【００３５】
さらに、基板１００にはスリット状の孔５５が形成されている。また上記した各放電部１ａ，１ｂ，３１ａ，３２ａ，３１ｂ，３２ｂ，２ａ，２ｂ等の放電ギャップに向かう突出先端は、ペアの先鋭な凸部を有する形状である。この実施例においても先の実施例と同様な機能を奏する。
【００３６】
また、商用交流電源のＡ極、Ｂ極のために２つの放電部を１次側に設けても、使用するコンデンサは１個でよい。さらに１次側と２次側の放電ギャップの位置で、基板に孔５５を空けることで、放電時のカーボンがギャップ部に付着せず、次回の放電時の初期時と同等の放電開始電圧を安定して得ることができる。また放電部の先端をペアの先鋭な凸部を有する形状とすることで、いずれか一方の凸部が欠落しても他方の凸部で放電を実現することができる。またＡ極側とＢ極側の放電部との間隔Ｌ４は、例えば３．５ｍｍ以上であり、ＡＣ入力部の規格を満足するように設計されている。
【００３７】
図３はさらにこの発明の第３の実施例である。先の図２の実施例と同一部分には同一符号を付して説明する。この例は、プラグ５１のＡ極のラインは印刷パターン６１を介して１次側端子１１ａに接続されている。またプラグ５１のＢ極のラインは、印刷パターン６２、フューズ６３、印刷パターン６４、ジャンパー線６５を介して１次側端子１１ｂに接続されている。他の部分は、図２の例とほぼ同様な構成である。ここで、各放電部１ａ，１ｂ，３１ａ，３２ａ，３１ｂ，３２ｂ，２ａ，２ｂには、半田が盛り付けられ厚みがあり、放電により削れても耐久性を維持できるようになっている。印刷配線パターンの厚みが３５ミクロンであるのに対して、放電部の例えば半田の最大厚み部は０．５ｍｍ程度である。
【００３８】
図４は、本発明が適用された電源入力部の回路構成を簡単に示す図である。上述した実施の形態の各部に対応する部分には、同一符号を付している。電源ラインのＡ極は、印刷パターン６１に接続され、Ｂ極は印刷パターン６２に接続されている。コンデンサ７１はＡ極ラインとＢ極ライン間に接続された絶縁コンデンサである。またＡ極ラインＢ極ライン間には、保護回路としてのダイオード７２，７３が直列接続されている。７４は、入力電圧を変換するトランスである。放電部７５，７６が本発明を適用した部分である。
【００３９】
この発明は、上記の実施の形態に限定されるものではない。上記の実施の形態では、本発明の放電ギャップ装置が電源入力部および他の２次側回路を一体に有する印刷配線板上に設けられるものとして説明した。しかし、例えば図１、図２、図３に示したような部分を１つの単体部品として構成してもよいことは勿論のことである。
【００４０】
次に、電取法上の規格、ＵＬ規格、ＣＳＡ規格、ＩＥＣ６５規格において、放電部を構築する１次側端子１１と２次側端子２２間の距離Ｗについて説明する。この距離Ｗは、電取法上の規格（２．０ｍｍ以上）、ＵＬ規格（３．２ｍｍ以上）、ＣＳＡ規格（３．０ｍｍ以上）、ＩＥＣ６５規格（６．０ｍｍ以上）となっている。そこで、本発明の如く浮点端子３３を設ける場合、上記の距離Ｗを満足するようにその位置を決める必要がある。つまり、放電部１と放電部３１との間の距離Ｗ１、放電部３２と放電部２との間の距離Ｗ２を設定する必要がある。
【００４１】
以下は、上記の距離Ｗ１、Ｗ２の許容範囲の例を示している。即ち、電取法上の規格に対して、Ｗ１＝１．０ｍｍ〜２．８ｍｍ（好ましくは２．０ｍｍ）、Ｗ２＝１．０ｍｍから２．１ｍｍ（好ましくは１．５ｍｍ）とし、結果、Ｗ＝２ｍｍ以上とすることで電取法上の規格を満足できる。またＵＬ規格に対しては、Ｗ１＝１．０ｍｍ〜３．５ｍｍ（好ましくは２．０ｍｍ）、Ｗ２＝１．０ｍｍから２．０ｍｍ（好ましくは１．５ｍｍ）とし、結果、Ｗ＝３．２〜４．０ｍｍとすることでＵＬ規格を満足することができる。ＣＳＡ規格に対しては、Ｗ１＝１．０ｍｍ〜３．３ｍｍ（好ましくは２．０ｍｍ）、Ｗ２＝１．０ｍｍから２．０ｍｍ（好ましくは１．５ｍｍ）とし、結果、Ｗ＝３．０〜４．０ｍｍとすることでＣＳＡ規格を満足することができる。ＩＥＣ６５規格に対しては、Ｗ１＝３．０ｍｍ〜４．５ｍｍ（好ましくは３．５ｍｍ）、Ｗ２＝２．０ｍｍから４．５ｍｍ（好ましくは３．０ｍｍ）とし、結果、Ｗ＝６．０〜８．０ｍｍとすることでＩＥＣ６５規格を満足することができる。
【００４２】
尚、本発明の放電ギャップ装置を構成するパターン形状については、図１乃至図３に示される形状に限定されず、図５ａ乃至図５ｅに示すようなパターン形状でも良い。
【００４３】
図５（Ａ）は、一次側端子１１、二次側端子２２及び浮点端子３３を直線状に並べて配置したものである。この例において端子部分２４、３４は、放電部２と放電部３２間に形成されるギャップに対して離れた位置にあり、かつ端子部分２４と３４の間隔はギャップ幅よりも広くなっている。
【００４４】
図５（Ｂ）は、二次側端子２２の単部と浮点端子３３が所定のギャップ幅を有して平行になるように配置したもので、端子部分２４、３４は、放電部２と放電部３２間に形成されるギャップ位置と、放電部２と放電部３２間に形成されるギャップに対して離れた位置にあり、かつ端子部分２４と３４の間隔はギャップ幅よりも広くなっている。
【００４５】
図５（Ｃ）は、放電部１と放電部３１間に形成さえるギャップ位置と、放電部２と放電部３２間に形成されるギャップ位置が上下にずれるように配置したものであり、端子部分２４、３４は、放電部２と放電部３２間に形成されるギャップに対して離れた位置にあり、かつ端子部分２４と３４の間隔はそのギャップ幅よりも広くなっている。
【００４６】
図５（Ｄ）は、一次側端子１１に端子部分１４を設け、この端子部分１４と浮点端子３３の端子部分３４との間にコンデンサ４４を接続したものである。この例において端子部分１４、３４は、放電部１と放電部３１間に形成されるギャップに対して離れた位置にあり、かつ端子部分１４と３４の間隔はギャップ幅よりも広くなっている。
【００４７】
図５（Ｅ）は、一次側端子１１と二次側端子２２を上下に配置し、放電部１と２側に浮点端子３３を配置し、この浮点端子３３に前記放電部１と２に対向するように放電部３１、３２を形成したものである。この例でも端子部分２４、３４は、放電部２と放電部３２間に形成されるギャップに対して離れた位置にあり、かつ端子部分２４と３４の間隔はギャップ幅よりも広くなっている。また上述したパターン形状以外に種々の変形例が可能である。
【００４８】
【発明の効果】
上記したようにこの発明によれば、１次側と２次側の端子間の間隔を小さくすることなく、雷サージ放電開始電圧を下げることができる。
【図面の簡単な説明】
【図１】この発明の基本的な構成を示す図。
【図２】この発明の他の実施の形態を示す図。
【図３】この発明のさらに他の実施の形態を示す図。
【図４】この発明が適用された電源入力部の回路構成を示す図。
【図５】この発明の他の例を示す図。
【符号の説明】
１００…印刷配線基板、１１…１次側端子、１２…２次側端子、３３…浮点端子（第３の端子）、１…１次側放電部、２…２次側放電部、３１、３２…浮点側放電部、４４…コンデンサ。
【図１】
0003626414.tif 000002
【図２】
0003626414.tif 000003
【図３】
0003626414.tif 000004
【図４】
0003626414.tif 000005
【図５】
0003626414.tif 000006